(57)【特許請求の範囲】
【請求項１】
互いに直交する長さ方向と幅方向と厚さ方向とを有し、前記厚さ方向の両側に透液性および吸液性のいずれかである表面シートと不透液性裏面シートとを含む体液吸収性着用物品が、前記表面シートを内側にして前記長さ方向における一端部からその対向端部に向かって二つに折り重ねた状態および前記一端部が内側となり前記対向端部が外側となるようにして前記長さ方向へ複数回折り重ねた状態のいずれかの状態で個袋に収納されており、前記個袋は、前記厚さ方向において離間可能に向かい合う第１シート部と第２シート部とを有するものであり、前記長さ方向における両端部のうちの一方には前記第１，第２シート部によって前記体液吸収性着用物品を取り出すための開放可能に閉じている開口部が形成されていて、前記両端部のうちのもう一方には前記第１，第２シート部によって底部が形成されており、前記着用物品は、前記裏面シートに塗布された第１粘着剤を第１剥離紙によって被覆保護されているものであって、前記開口部が開放されると前記対向端部を前記開口部の外側から摘持できるように前記対向端部が前記開口部からのぞくものである、前記着用物品と前記個袋とによって形成された包装体であって、
前記第１剥離紙は、前記第１粘着剤に対して剥離可能に重なる保護部位と、前記開口部の近傍において前記第１シート部の内面に対して剥離不能に重なる固定部位とを有していて、前記対向端部を摘持できるように前記対向端部の前記長さ方向における先端よりも前記個袋の内側寄りに形成されており、
前記個袋の前記底部には、前記第１，第２シート部のいずれかに取り付けられたシート片によって摘持用部位が形成され、
前記摘持用部位と前記着用物品の前記対向端部とを前記長さ方向へ互いに離間するように引っ張ると、前記第１剥離紙を前記第１粘着剤から剥離させながら前記着用物品を前記個袋から取り出すことができて、前記第１剥離紙を前記個袋に残すことができることを特徴とする前記包装体。
【請求項２】
互いに直交する長さ方向と幅方向と厚さ方向とを有し、前記厚さ方向の両側に透液性および吸液性のいずれかである表面シートと不透液性裏面シートとを含む体液吸収性着用物品が、前記表面シートを内側にして前記長さ方向における一端部からその対向端部に向かって二つに折り重ねた状態および前記一端部が内側となり前記対向端部が外側となるようにして前記長さ方向へ複数回折り重ねた状態のいずれかの状態で個袋に収納されており、前記個袋は、前記厚さ方向において離間可能に向かい合う第１シート部と第２シート部とを有するものであり、前記長さ方向における両端部のうちの一方には前記第１，第２シート部によって前記体液吸収性着用物品を取り出すための開放可能に閉じている開口部が形成されていて、前記両端部のうちのもう一方には前記第１，第２シート部によって底部が形成されており、前記着用物品は、前記裏面シートに塗布された第１粘着剤を第１剥離紙によって被覆保護されているものであって、前記開口部が開放されると前記対向端部を前記開口部の外側から摘持できるように前記対向端部が前記開口部からのぞくものである、前記着用物品と前記個袋とによって形成された包装体であって、
前記第１剥離紙は、前記第１粘着剤に対して剥離可能に重なる保護部位と、前記開口部の近傍において前記第１シート部の内面に対して剥離不能に重なる固定部位とを有していて、前記対向端部を摘持できるように前記対向端部の前記長さ方向における先端よりも前記個袋の内側寄りに形成されており、
前記個袋の前記底部には、前記第１，第２シート部を前記厚さ方向の両側から重ね合わせて互いに接合することで摘持用部位が形成され、
前記摘持用部位と前記着用物品の前記対向端部とを前記長さ方向へ互いに離間するように引っ張ると、前記第１剥離紙を前記第１粘着剤から剥離させながら前記着用物品を前記個袋から取り出すことができて、前記第１剥離紙を前記個袋に残すことができることを特徴とする前記包装体。
【請求項３】
前記摘持用部位では、前記第１，第２シート部が前記幅方向へ延びる環状の縁部を形成している請求項２記載の包装体。
【請求項４】
前記長さ方向において、前記固定部位が、前記保護部位と前記着用物品の前記対向端部との間にある請求項１〜３のいずれかに記載の包装体。
【請求項５】
前記固定部位が、前記着用物品の前記厚さ方向において前記第１剥離紙を介して前記保護部位と重なり合う請求項１〜３のいずれかに記載の包装体。
【請求項６】
前記第１シート部は、前記長さ方向において前記開口部からその外側へ延出して前記第２シート部よりも長くなる部分を有し、前記部分によって前記開口部を閉じることが可能な蓋部を形成しており、前記着用物品の前記対向端部が前記開口部から延出して前記蓋部にまで延びている請求項１〜４のいずれかに記載の包装体。
【請求項７】
前記固定部位が、前記蓋部の内面に対して形成される請求項６記載の包装体。
【請求項８】
前記第１，第２シート部が前記個袋の前記長さ方向へ延びる両側縁部のそれぞれにおいて重なり合い、剥離不能に接合している請求項１〜７のいずれかに記載の包装体。
【請求項９】
前記着用物品がそれとともに着用するショーツの股部内面に当接させる本体部分と、前記本体部分の前記幅方向の両側それぞれに形成されていて前記ショーツの股部外面に当接させるウイング部分とを有し、前記ウイング部分は、前記本体部分の前記表面シートに重なるように前記幅方向において折曲されていて、前記表面シートと向かい合う内面と前記内面の反対面である外面とを有し、前記外面に塗布された第２粘着剤が前記両側の前記ウイング部分に共通する１枚の第２剥離紙によって被覆保護されており、前記第２剥離紙は前記長さ方向において前記開口部の近傍に位置している開口側端部が前記近傍における前記第２シート部の内面および外面のいずれかに剥離不能に接合している請求項１〜８のいずれかに記載の包装体。
【請求項１０】
前記ウイング部分が前記長さ方向の二箇所において前記両側のそれぞれに形成され、前記ウイング部分のいずれにも前記第２粘着剤が塗布されているとともに前記第２剥離紙によって被覆保護されている請求項９記載の包装体。
【請求項１１】
前記長さ方向において、前記第１粘着剤が前記一端部寄りに位置する端部側粘着剤と前記対向端部側に位置する対向端部側粘着剤とに二分されていて、前記第１剥離紙が前記端部側粘着剤と前記対向端部側粘着剤とを個別に被覆保護する端部側剥離紙と対向端部側剥離紙とに二分されており、前記長さ方向においてはまた、前記端部側剥離紙が前記端部側粘着剤に対する前記保護部位と前記対向端部との間に前記第１，第２シート部のいずれかに対する前記固定部位を有し、前記対向端部側剥離紙が前記対向端部側粘着剤に対する前記保護部位と前記対向端部との間に前記第１シート部に対する前記固定部位を有する請求項１，２，３，４，５，６，８，９，１０のいずれかに記載の包装体。
【請求項１２】
前記長さ方向において、前記第１粘着剤が前記一端部寄りに位置する端部側粘着剤と前記対向端部側に位置する対向端部側粘着剤とに二分されていて、前記第１剥離紙が前記端部側粘着剤と前記対向端部側粘着剤とを個別に被覆保護する端部側剥離紙と対向端部側剥離紙とに二分されており、前記長さ方向においてはまた、前記端部側剥離紙が前記端部側粘着剤に対する前記保護部位と前記対向端部との間に前記第１，第２シート部のいずれかに対する前記固定部位を有し、前記対向端部側剥離紙が前記対向端部側粘着剤に対する前記保護部位と前記蓋部内面に対する前記固定部位とを有するとともに、前記固定部位が前記着用物品の厚さ方向において前記対向端部側粘着剤に対する前記保護部位と重なり合った状態にある請求項７記載の包装体。
【発明の詳細な説明】
【技術分野】
【０００１】
この発明は、生理用ナプキンやパンティライナの如き体液吸収性着用物品とそれを収納した個袋とからなる包装体に関する。
【背景技術】
【０００２】
従来、生理用ナプキンを収納した個袋から生理用ナプキンを取り出すときに、生理用ナプキンの裏面シートに塗布された粘着剤を被覆保護している剥離紙が裏面シートから自動的に剥離して個袋に残る生理用ナプキン包装体は公知である。
【０００３】
例えば、特開平９−１０２５７号公報（特許文献１）に開示された生理用ナプキン包装体は、生理用ナプキンと包装用シートとを含んでいて、包装用シートによって生理用ナプキンを収納する個袋が作られている。生理用ナプキンには裏面に塗布された第１粘着剤を被覆保護する第１剥離紙と、ウイングの裏面に塗布された第２粘着剤を被覆保護する第２剥離紙とが使用されている。生理用ナプキンをその個袋から取り出すときに、個袋を形成している包装シートが破れたり、互いに接合している部位で剥がれたりすることによって、生理用ナプキンが個袋の外に出る一方、第１，第２剥離紙はそれらが剥離不能に接合している包装シートの側に残る。
【０００４】
また、特開２０００−１４６９５号公報（特許文献２）に開示の吸収性物品の包装構造では、包装袋のポケット部に生理用ナプキンを収納して包装袋の蓋部を閉じておく。生理用ナプキンを取り出すときに蓋部を開くと、蓋部の内面と向かい合っていた剥離紙が生理用ナプキンから剥がれて蓋部の側に移る。
【特許文献１】特開平９−１０２５７号公報
【特許文献２】特開２０００−１４６９５号公報
【発明の開示】
【発明が解決しようとする課題】
【０００５】
特開平９−１０２５７号公報に開示の生理用ナプキン包装体では、個袋から生理用ナプキンを取り出すときに、個袋は、その袋としての形態を失うので、使用後の汚れた生理用ナプキンを入れておくための袋として再利用することができない。
【０００６】
また、特開２０００−１４６９５号公報に開示の吸収性物品の包装構造においては、生理用ナプキンを取り出した後の包装袋を汚れた生理用ナプキンを入れておくためのものとして再利用することはできる。しかし、この包装構造では、生理用ナプキンの長さ方向中央部において剥離紙が使用されている場合には、その剥離紙を剥離させながら、生理用ナプキンを包装袋から取り出すということができない。
【０００７】
そこで、この発明では、個袋を再利用することができるように生理用ナプキン等の体液吸収性着用物品をその個袋から取り出すことができて、しかも取り出すときの操作によって、着用物品に使用されている剥離紙のすべてを剥離させることができるように、前記従来技術に改良を施すことを課題にしている。
【課題を解決するための手段】
【０００８】
前記課題を解決するために、この発明が対象とするのは、互いに直交する長さ方向と幅方向と厚さ方向とを有し、前記厚さ方向の両側に透液性および吸液性のいずれかである表面シートと不透液性裏面シートとを含む体液吸収性着用物品が、前記表面シートを内側にして前記長さ方向における一端部からその対向端部に向かって二つに折り重ねた状態および前記一端部が内側となり前記対向端部が外側となるようにして前記長さ方向へ複数回折り重ねた状態のいずれかの状態で個袋に収納されており、前記個袋は、前記厚さ方向において離間可能に向かい合う第１シート部と第２シート部とを有するものであり、前記長さ方向における両端部のうちの一方には前記第１，第２シート部によって前記体液吸収性着用物品を取り出すための開放可能に閉じている開口部が形成されていて、前記両端部のうちのもう一方には前記第１，第２シート部によって底部が形成されており、前記着用物品は、前記裏面シートに塗布された第１粘着剤を第１剥離紙によって被覆保護されているものであって、前記開口部が開放されると前記対向端部を前記開口部の外側から摘持できるように前記対向端部が前記開口部からのぞくものである、前記着用物品と前記個袋とによって形成された包装体である。
【０００９】
かかる包装体において、第１の発明が特徴とするところは、以下のとおりである。すなわち、前記第１剥離紙は、前記第１粘着剤に対して剥離可能に重なる保護部位と、前記開口部の近傍において前記第１シート部の内面に対して剥離不能に重なる固定部位とを有していて、前記対向端部を摘持できるように前記対向端部の前記長さ方向における先端よりも前記個袋の内側寄りに形成されている。前記個袋の前記底部には、前記第１，第２シート部のいずれかに取り付けられたシート片によって摘持用部位が形成されている。前記摘持用部位と前記着用物品の前記対向端部とを前記長さ方向へ互いに離間するように引っ張ると、前記第１剥離紙を前記第１粘着剤から剥離させながら前記着用物品を前記個袋から取り出すことができて、前記第１剥離紙を前記個袋に残すことができる。
【００１１】
かかる包装体において、第２の発明が特徴とするところは、以下のとおりである。すなわち、前記第１剥離紙は、前記第１粘着剤に対して剥離可能に重なる保護部位と、前記開口部の近傍において前記第１シート部の内面に対して剥離不能に重なる固定部位とを有していて、前記対向端部を摘持できるように前記対向端部の前記長さ方向における先端よりも前記個袋の内側寄りに形成されている。前記個袋の前記底部には、前記第１，第２シート部を前記厚さ方向の両側から重ね合わせて互いに接合することで摘持用部位が形成される。前記摘持用部位と前記着用物品の前記対向端部とを前記長さ方向へ互いに離間するように引っ張ると、前記第１剥離紙を前記第１粘着剤から剥離させながら前記着用物品を前記個袋から取り出すことができて、前記第１剥離紙を前記個袋に残すことができる。
【００１２】
この発明の好ましい実施形態の他の一つにおいて、前記摘持用部位では、前記第１，第２シート部が前記幅方向へ延びる環状の縁部を形成している。
【００１３】
この発明の好ましい実施形態の他の一つにおいて、前記長さ方向において、前記固定部位が、前記保護部位と前記着用物品の前記対向端部との間にある。
【００１４】
この発明の好ましい実施形態の他のひとつにおいて、前記固定部位が、前記着用物品の前記厚さ方向において前記第１剥離紙を介して前記保護部位と重なり合う。
この発明の好ましい実施形態の他の一つにおいて、前記第１シート部は、前記長さ方向において前記開口部からその外側へ延出して前記第２シート部よりも長くなる部分を有し、前記部分によって前記開口部を閉じることが可能な蓋部を形成しており、前記着用物品の前記対向端部が前記開口部から延出して前記蓋部にまで延びている。
【００１５】
この発明の好ましい実施形態の他の一つにおいて、前記固定部位が、前記蓋部の内面に対して形成される。
【００１６】
この発明の好ましい実施形態の他の一つにおいて、前記第１，第２シート部が前記個袋の前記長さ方向へ延びる両側縁部のそれぞれにおいて重なり合い、剥離不能に接合している。
【００１７】
この発明の好ましい実施形態の他の一つにおいて、前記着用物品がそれとともに着用するショーツの股部内面に当接させる本体部分と、前記本体部分の前記幅方向の両側それぞれに形成されていて前記ショーツの股部外面に当接させるウイング部分とを有し、前記ウイング部分は、前記本体部分の前記表面シートに重なるように前記幅方向において折曲されていて、前記表面シートと向かい合う内面と前記内面の反対面である外面とを有し、前記外面に塗布された第２粘着剤が前記両側の前記ウイング部分に共通する１枚の第２剥離紙によって被覆保護されており、前記第２剥離紙は前記長さ方向において前記開口部の近傍に位置している開口側端部が前記近傍における前記第２シート部の内面および外面のいずれかに剥離不能に接合している。
【００１８】
この発明の好ましい実施形態の他の一つにおいて、前記ウイング部分が前記長さ方向の二箇所において前記両側のそれぞれに形成され、前記ウイング部分のいずれにも前記第２粘着剤が塗布されているとともに前記第２剥離紙によって被覆保護されている。
【００１９】
この発明の好ましい実施形態の他の一つにおいて、前記長さ方向において、前記第１粘着剤が前記一端部寄りに位置する端部側粘着剤と前記対向端部側に位置する対向端部側粘着剤とに二分されていて、前記第１剥離紙が前記端部側粘着剤と前記対向端部側粘着剤とを個別に被覆保護する端部側剥離紙と対向端部側剥離紙とに二分されており、前記長さ方向においてはまた、前記端部側剥離紙が前記端部側粘着剤に対する前記保護部位と前記対向端部との間に前記第１，第２シート部のいずれかに対する前記固定部位を有し、前記対向端部側剥離紙が前記対向端部側粘着剤に対する前記保護部位と前記対向端部との間に前記第１シート部に対する前記固定部位を有する。
【００２０】
この発明の好ましい実施形態のさらに他の一つにおいて、前記長さ方向において、前記第１粘着剤が前記一端部寄りに位置する端部側粘着剤と前記対向端部側に位置する対向端部側粘着剤とに二分されていて、前記第１剥離紙が前記端部側粘着剤と前記対向端部側粘着剤とを個別に被覆保護する端部側剥離紙と対向端部側剥離紙とに二分されており、前記長さ方向においてはまた、前記端部側剥離紙が前記端部側粘着剤に対する前記保護部位と前記対向端部との間に前記第１，第２シート部のいずれかに対する前記固定部位を有し、前記対向端部側剥離紙が前記対向端部側粘着剤に対する前記保護部位と前記蓋部内面に対する前記固定部位とを有するとともに、前記固定部位が前記着用物品の厚さ方向において前記対向端部側粘着剤に対する前記保護部位と重なり合った状態にある。
【発明の効果】
【００２１】
この発明に係る体液吸収性着用物品の包装体では、例えばその着用物品の一つである生理用ナプキンが長さ方向に折り重ねてある。生理用ナプキンは、その長さ方向に端部とそれとは反対側の対向端部とを有していて、その対向端部が個袋の開口部にのぞいている。個袋の底部には生理用ナプキンを介在させることなく摘持できる部位が形成されているから、この摘持できる部位と生理用ナプキンの対向端部とを片手ずつで摘んで、これらが生理用ナプキンの長さ方向において離間するように包装体を引っ張ると、生理用ナプキンの第１粘着剤を被覆保護していた第１剥離紙を剥離させながら生理用ナプキンを個袋から取り出すことができるとともに、個袋の第１シート部に対する固定部位を有している第１剥離紙を個袋に残すことができる。その後の個袋は、使用後の汚れた生理用ナプキンを入れておくためのものとして再利用することができる。個袋ではまた、個袋に残った剥離紙が個袋の開口部を広げるように作用して、汚れた生理用ナプキンをその個袋に入れることが容易になる。個袋に残った剥離紙はまた、汚れた生理用ナプキンを包むように使用することができて、個袋の外から生理用ナプキンの汚れが見えることを防ぐ。
【００２２】
この発明に係る各種実施形態において得られる効果は、以下において詳述される。
【発明を実施するための最良の形態】
【００２３】
体液吸収性着用物品として生理用ナプキンを例にとり、添付の図面を参照して、この発明に係る包装体の詳細を説明すると、以下のとおりである。
【００２４】
図１は、包装体１の部分破断斜視図である。包装体１は、生理用ナプキン２と、これを収納した個袋３とで形成されており、生理用ナプキン２の後記する長さ方向と幅方向と厚さ方向とに対応する長さ方向Ａと幅方向Ｂと厚さ方向Ｃとを有している。ただし、図の生理用ナプキン２は、長さ方向Ａにおいて二つに折り畳んだ状態で示されている。個袋３は、袋部６と蓋部７とを有し、袋部６は長さ方向Ａの一端部に形成された生理用ナプキン取り出し用の開口部８と、その一端部の反対端部に形成された底部９と、両側縁部１０とを有していて、蓋部７が封止用テープ片１１を使用して開口部８を開放可能に閉じている。蓋部７の自由縁部７ｃにはその封止用テープ片１１が取り付けられていて、このテープ片１１が袋部６に対して剥離可能な状態で止められている。袋部６の底部９には、袋部６から長さ方向Ａへ延出するようにタブ状の摘持用部位１２が形成されている。かような個袋３における袋部６と蓋部７とは、例えば長さ方向Ａへ延びる不織布やプラスチックフィルム等のシート片を図１の形状に対応するように折り畳んで、袋部６の両側縁部１０において重なり合うシート片どうしを図示の接合部位１３において剥離不能に接合することによって形成することができるもので、その袋部６は、厚さ方向Ｃにおいて対向する第１シート部２１と第２シート部２２とを有している（図２参照）。
【００２５】
図２は、図１のＩＩ−ＩＩ線切断面を示す図である。生理用ナプキン２は、透液性表面シート２３と不透液性裏面シート２４との間に吸液性芯材２５を介在させることにより形成されていて、長さ方向Ａの両端には生理用ナプキン２を個袋３から取り出すときに使用する摘持用端部２６と、その反対端部である非摘持用端部２７とを有する（図５を併せて参照）。生理用ナプキン２はまた、表面シート２３が内側となり、裏面シート２４が外側となるように二つに折り重ねられていて、その裏面シート２４には粘着剤２８が長さ方向Ａへ延びるように塗布されている。粘着剤２８は、それに重なる剥離紙２９の保護部位３９によって剥離可能に被覆され、保護されている。剥離紙２９は、保護部位３９が形成されている内面２９ａとは反対側の外面２９ｂに固定部位３０が形成されていて、その固定部位３０が接着剤３１を介して個袋３における第１シート部２１の内面２１ａに対して重なり合い剥離不能に接合している。
【００２６】
さらに図２において、生理用ナプキン２の摘持用端部２６は、袋部６の開口部８にのぞいていて、開口部８の外側から簡単に摘持することができる状態にある。一方、非摘持用端部２７は、誤ってそれを摘持することがないように、摘持用端部２６よりも開口部８の奥にある。生理用ナプキン２の取り出し方向Ｐ１（図３参照）において、剥離紙２９の固定部位３０は開口部８の近傍にあって、粘着剤２８は固定部位３０の後方に位置するように塗布されていて、固定部位３０の先端部分３０ｐｓと粘着剤２８の先端部分２８ｐｓとの間には、離間寸法Ｅが生じている。その離間寸法Ｅは、好ましくは２〜１０ｍｍの範囲にある。蓋部７に取り付けられた封止用テープ片１１は、それに塗布された粘着剤３３によって袋部６における第２シート部２２の外面に止められている。テープ片１１を第２シート部２２から剥がすことによって、蓋部７は仮想線で示すように開けることができる。
【００２７】
図３は、個袋３から生理用ナプキン２を取り出すときの状態を示す図２と同様な図である。蓋部７を開けた個袋３では、開口部８にのぞく生理用ナプキン２の摘持用端部２６を一方の手で摘み、個袋３の摘持用部位１２をもう一方の手で摘んで、摘持用端部２６と摘持用部位１２とが長さ方向Ａにおいて離間するように包装体１を引っ張る。生理用ナプキン２は開口部８の外へ出るように矢印Ｐ方向へ向かい、剥離紙２９は、図２においては保護部位３９とともに長さ方向Ａへ直状に延びていた固定部位３０が、摘持用端部２６と摘持用部位１２とによって引っ張られることによって、離間寸法Ｅを有する部分３２においてほぼ反転するように矢印Ｑで示す方向へ動く。包装体１をさらに引っ張ると、反転した剥離紙２９と粘着剤２８との間には剥離力が作用して、剥離紙２９における保護部位３９が粘着剤２８から自動的にスムーズに剥離する。包装体１を引っ張り続けると、剥離紙２９の全体が生理用ナプキン２から剥がれた状態で生理用ナプキン２が袋部６の外へ出て着用することができる状態になる一方、剥離紙２９が袋部６に残っている。
【００２８】
図４は、生理用ナプキン２が取り出された後の個袋３を示す図２と同様な図である。個袋３では袋部６の中に剥離紙２９の一部分２９ｄが残る場合があり、その一部分２９ｄによって袋部６が膨らんでいて、開口部８が開いた状態にある。仮想線で示された生理用ナプキン２は、使用後の汚れたものであって、このものは開口部８の開いた個袋３に簡単に納めることができて、納めた後には封止用テープ片１１を使って蓋部７を閉じることができる。納めた生理用ナプキン２は、その少なくとも一部分が剥離紙２９によって覆われて、袋部６の外側からは生理用ナプキン２の汚れが目立たない。また、剥離紙２９が袋部６の外に出ている場合には、その剥離紙２９によって使用後の生理用ナプキン２を包みながら袋部６へ納めることができる。
【００２９】
図５は、図１における生理用ナプキン２が長さ方向Ａへ伸展された状態にある生理用ナプキン２の部分破断平面図である。図５の生理用ナプキン２は裏面シート２４の側から見た状態を示すもので、摘持用端部２６が図の上方にあり、非摘持用端部２７が図の下方にある。生理用ナプキン２は長さ方向Ａと幅方向Ｂと厚さ方向Ｃとに対応する長さ方向と幅方向と厚さ方向とを有し、厚さ方向における両面のそれぞれを形成している透液性表面シート２３と不透液性裏面シート２４とのうちの表面シート２３は、不織布や開孔プラスチックフィルムで形成されており、裏面シート２４は、プラスチックフィルムや不織布で形成されている。これら両シート２３，２４間に介在する芯材２５は、粉砕パルプや粉砕パルプと高吸水性ポリマー粒子との混合物等の吸水性材料によって形成されていて、好ましくはこれらの吸水性材料が液拡散性のよいティッシュペーパ（図示せず）で被覆されている。表面シート２３と裏面シート２４とは、芯材２５の周縁から延出して重なり合い、互いに溶着している。裏面シート２４では、粘着剤２８が三条の塗布域を形成するように塗布されていて、その粘着剤２８が剥離紙２９によって被覆されている。その剥離紙２９の外面２９ｂには個袋３に対しての固定部位３０がある。長さ方向Ａにおいて、固定部位３０の先端部分３０ｐｓと保護部位３９によって被覆されている粘着剤２８の先端部分２８ｐｓとの間は寸法Ｅだけ離間している。図５の生理用ナプキン２は、表面シート２３が内側となるようにして、長さ方向の寸法を二等分する中心線Ｍ−Ｍに平行で中心線Ｍ−Ｍよりも図の下方にある折曲案内線Ｎ−Ｎに沿って折曲された状態で個袋３に収納されている。
【００３０】
図１の個袋３は、それに使用するシート材料を特に規定するものではないが、プラスチックフィルムや熱可塑性合成繊維からなる不織布、紙等を使用することができる。また、プラスチックフィルムとして例えばポリエチレンフィルムとポリプロピレンフィルムとのラミネートフィルムを使用し、ポリエチレンフィルムで個袋３の内面を形成するとともに、蓋部７の内面全体が袋部６の第２シート部２２に重なるようにして、袋部６の両側縁部１０を加熱加圧することによって接合部位１３を形成することができる。そのときの加熱では、ポリエチレンフィルムの溶融温度以上でポリプロピレンフィルムの溶融温度以下の温度を採用する。そのようにすると、ポリエチレンフィルムどうしが重なり合った状態にある袋部６の第１シート部２１と第２シート部２２とは、接合部位１３においてポリエチレンフィルムどうしが溶融して接合するので、強固な接合部位１３を得ることができる。しかも、第２シート部２２の外面を形成しているポリプロピレンフィルムに接触している蓋部７は、蓋部７の内面を形成しているポリエチレンフィルムが溶融しても、溶融していないポリプロピレンフィルムからは容易に剥離する。個袋３がこのようなラミネートフィルムで形成されている場合の包装体１ではまた、図２に示されるように生理用ナプキン２の摘持用端部２６がそれを摘むことが容易となるように開口部８から蓋部７にまで延びていても、蓋部７によって袋部６を実質的な意味において密封することが容易である。テープ片１１と摘持用部位１２とは、プラスチックフィルムや不織布等によって作ることができる。また、摘持用部位１２は、図示例の如く第１，第２シート部２１，２２に取り付けられているものを、第１，第２シート部２１，２２のいずれかにのみ取り付けられているものに代えることができる。
【００３１】
図６は、この発明の実施形態の一例を示す図１と同様な図である。図６の包装体１における個袋３は、蓋部７を有しておらず、第１シート部２１と第２シート部２２とがテープ片１１によって開放可能に閉じている。個袋３は、それを再利用するときに図１の蓋部７を使用して閉じることが好ましいものではあるが、この発明は、図６の如き簡素な構造の個袋３を使用して実施することもできる。なお、図６の個袋３は、第１シート部２１と第２シート部２２とをテープ片１１によって閉じるのではなくて、これら両シート部２１，２２の間に介在させた粘着剤等の止着手段によって閉じておくこともできる。
【００３２】
図７は、この発明の実施形態の一例を示す図２と同様な図である。図７の包装体１では、袋部６の底部９に対する摘持用部位１２が、図１におけるタブ状のものではなくて、第１シート部２１と第２シート部２２とが重なり合って接合することにより形成されている。この摘持用部位１２では、第１，第２シート部２１，２２の間に生理用ナプキン２が介在しておらず、重なり合う第１，第２シート部２１，２２が互いに溶着していて、長さ方向Ａの寸法が好ましくは５〜１５ｍｍの範囲にある。かような摘持用部位１２のさらに好ましい一例では、幅方向Ｂへ延びる縁部４３が図７の断面において環状を成している。この縁部４３は柔軟なもので、それに肌が触れると速やかに変形して肌に刺激を与えることがない。縁部４３は、その内径を０．３〜１．５ｍｍ程度にすることが好ましい。
【００３３】
図８の（ａ），（ｂ）は、この発明の好ましい実施形態の一例を示す図２，３と同様な図である。図８の（ａ）の包装体１では、生理用ナプキン２の摘持用端部２６が袋部６の開口部８から延出して蓋部７にまで延びている。粘着剤２８は開口部８から延出するように塗布されていて、剥離紙２９の保護部位３９が蓋部７にまで延びている。剥離紙２９の固定部位３０は、蓋部７の内面７ａに対して形成されていて、先端部分３０ｐｓが生理用ナプキン２の取り出し方向Ｐ１において粘着剤２８の先端部分２８ｐｓの後方にある。すなわち、生理用ナプキン２の厚さ方向Ｃにおいて、固定部位３０は剥離紙２９の保護部位３９を介して粘着剤２８と重なり合う位置にある。この包装体１では、矢印Ｓ（図８の（ｂ）参照）で示すところまで蓋部７を開け、摘持用端部２６と摘持用部位１２とを摘んで包装体１を矢印Ｐ１，Ｐ２で示す方向、換言すると長さ方向Ａへ引っ張っても、粘着剤２８と剥離紙２９との間にはせん断力が作用して剥離力が作用しないので、生理用ナプキン２を袋部６から簡単には取り出すことができず、また剥離紙２９を粘着剤２８から簡単に剥離させることもできない。しかし、固定部位３０と保護部位３９とが開口部８の外にあり、剥離紙２９を固定部位３０の近傍で摘むことは容易であるから、その剥離紙２９を蓋部７とともに仮想線の矢印Ｔ（図８の（ｂ）参照）で示すところまで移動させて固定部位３０の近傍を予め粘着剤２８から剥離させておいてから摘持用端部２６と摘持用部位１２とを互いに離間するように引っ張るならば、剥離紙２９を自動的に剥離させながら生理用ナプキン２を袋部６から取り出すことができる。また、保護部位３９が蓋部７にまで延びていても、保護部位３９と固定部位３０との間に離間寸法Ｅがある場合の包装体１では、剥離紙２９を固定部位３０の近傍まで予め剥離させておかなくても、図２の場合と同様にして生理用ナプキン２を袋部６から簡単に取り出すことができる。しかし、固定部位３０と保護部位３９とが袋部６の奥にあって互いに重なり合い、その固定部位３０の位置が簡単には目視できないというような場合には、図８の（ｂ）の仮想線の如く固定部位３０の近傍を粘着剤２８から剥離させることが困難になって、剥離紙２９を自動的に剥離させながら生理用ナプキン２を袋部６から取り出すということが実質上できなくなる。
【００３４】
図９もまた、この発明の実施形態の一例を示す図２と同様な図である。図９の包装体１では、剥離紙２９の部分２９ｃが生理用ナプキン２の摘持用端部２６の近傍において折り返されていて、その折り返された部分２９ｃにおける内面２９ａと袋部６の第１シート部２１の内面２１ａとを接着剤３１で固定することにより、剥離紙２９における固定部位３０が形成されている。固定部位３０と粘着剤２８とは、剥離紙２９に沿って寸法Ｅだけ離間している。この包装体１においても、摘持用部位１２と摘持用端部２６とを両手で摘んで長さ方向Ａへ引っ張れば、図１の包装体１と同様に、剥離紙２９を自動的に剥離させながら生理用ナプキン２を取り出すことができる。
【００３５】
図１０，１１，１２において、図１０はこの発明の実施形態の一例を示す図２と同様な図であり、図１１，１２は図１０に使用されている生理用ナプキン２を長さ方向Ａへ伸展して表面シート２３の側と裏面シート２４の側とを示す生理用ナプキン２の部分破断平面図である。ただし、図１０における生理用ナプキン２の形状は、図１１，１２における線Ｌ１〜Ｌ５に沿う形状を示している。図１１，１２に示されているように、生理用ナプキン２は、図５の生理用ナプキン２と同じ構造を有する本体部分５２と、本体部分５２の両側部に形成されたウイング部分５３とを含むもので、包装体１ではそのウイング部分５３が表面シート２３と重なり合うように幅方向Ｂの内側へ折曲されている。本体部分５２は生理用ナプキン着用者のショーツの股部内面に当接させる部分で、本体部分５２における裏面シート２４には図２の粘着剤２８に相当する本体用粘着剤２８が二条を成すように塗布されている。ウイング部分５３はショーツの股部外面に当接させる部分で、ウイング部分５３における裏面シート２４、即ちウイング部分５３の外面５３ｂにはウイング用粘着剤５４が塗布されている。二条の本体用粘着剤２８は、図５の剥離紙２９に相当する本体用剥離紙２９によって被覆保護されており、それぞれのウイング部分５３のウイング用粘着剤５４は、１枚の共通するウイング用剥離紙６２によって被覆保護されている。本体用剥離紙２９には袋部６の第１シート部２１の内面２１ａまたは蓋部７の内面７ａに対する本体用固定部位３０があり、ウイング用剥離紙６２には袋部６の第２シート部２２の内面２２ａに対して接着剤６３を介して剥離不能に固定されるウイング用固定部位６４がある。本体用固定部位３０の先端部分３０ｐｓと本体用粘着剤２８の先端部分２８ｐｓとは、寸法Ｅだけ離間している。ウイング用固定部位６４とウイング用粘着剤５４とは寸法Ｇだけ離間しており、好ましい寸法Ｇは１〜２０ｍｍの範囲にある。図１１，１２の生理用ナプキン２は、表面シート２３が内側になるようにして折曲案内線Ｎ−Ｎに沿って折り重ねられた状態で個袋３に収納される。図１０の包装体１では、蓋部７を開放して、生理用ナプキン２の摘持用端部２６と袋部６の摘持用部位１２とを長さ方向Ａへ互いに離間するように引っ張ると、本体用剥離紙２９とウイング用剥離紙６２とを自動的に剥離させながら生理用ナプキン２を個袋３から取り出すことができて、それらの剥離紙２９，６２を袋部６に残しておくことができる。
【００３６】
図１３，１４，１５は、この発明の実施形態の一例を示す図１０，１１，１２と同様な図であるが、図１３における生理用ナプキン２の形状は、図１４，１５における線Ｌ１〜Ｌ９に沿う切断面の形状を示している。その図１３の個袋３に収納されている生理用ナプキン２は、図１４，１５において明らかなように、摘持用端部２６に接近して本体部分５２の両側に形成された第１ウイング部分５３ｆと非摘持用端部２７に接近して本体部分５２の両側に形成された第２ウイング部分５３ｒとを有し、これら第１，第２ウイング部分５３ｆ，５３ｒが表面シート２３と向き合うように幅方向Ｂの内側へ折曲されている。本体部分５２における裏面シート２４においては、本体用粘着剤２８と本体用剥離紙２９とのそれぞれが長さ方向Ａへ二分された状態にある。すなわち、本体用粘着剤２８は各二条の第１本体用粘着材２８ｆと第２本体用粘着剤２８ｒとに分かれていて、それぞれが第１本体用剥離紙２９ｆと第２本体用剥離紙２９ｒとによって被覆保護されている。第１本体用剥離紙２９ｆには第１本体用粘着剤２８ｆからの離間寸法Ｅ１を有する第１固定部位３０ｆが形成されていて、第２本体用剥離紙２９ｒには第２本体用粘着剤２８ｒからの離間寸法Ｅ２を有する第２固定部位３０ｒが形成されており、好ましくは、これら離間寸法Ｅ１，Ｅ２が２〜１０ｍｍの範囲にある。第１，第２ウイング部分５３ｆ，５３ｒにおける裏面シート２４には、各一条の第１，第２ウイング用粘着剤５４ｆ，５４ｒが塗布されていて、これら第１，第２ウイング用粘着剤５４ｆ，５４ｒが、これらに共通する一枚のウイング用剥離紙６２によって被覆保護されている。図１４，１５にはまた、個袋３を得るために使用されるシート片７０が仮想線で示されている。
【００３７】
図１４，１５の生理用ナプキン２とシート片７０とから図１３の包装体１を得る手順は、次のとおりである。まず、図１４，１５において、第１，第２本体用粘着剤２８ｆ，２８ｒを被覆保護している第１，第２本体用剥離紙２９ｆ，２９ｒのそれぞれを固定部位３０ｆ，３０ｒにおいてシート片７０に接合する。次に、これら生理用ナプキン２とシート片７０とを、表面シート２３が内側となるようにして、第１，第２折曲案内線Ｎ１−Ｎ１，Ｎ２−Ｎ２（図１４参照）に沿って、これら案内線の順に折曲する。シート片７０は、第１，第２本体用剥離紙２９ｆ，２９ｒと向かい合う内面７０ａとその反対側の外面７０ｂとを有しており（図１３参照）、生理用ナプキン２を第２折曲案内線Ｎ２−Ｎ２に沿って折曲したときに向かい合うシート片７０の外面７０ｂとウイング用剥離紙６２とをウイング用固定部位６４において剥離不能に接合する。生理用ナプキン２とシート片７０とは、その後さらに第３折曲案内線Ｎ３−Ｎ３に沿って折曲した後、生理用ナプキン２の両側縁部の外側で重なり合うシート片７０どうしを剥離不能に接合して、図１に例示の接合部位１３に対応する接合部位（図示せず）を形成する。シート片７０には、封止用テープ片１１と、摘持用部位１２としてのタブとを取り付けて、図１３の包装体１を得る。この包装体１もまた蓋部７を開放して生理用ナプキン２の摘持用端部２６を一方の手で摘み、もう一方の手で摘持用部位１２を摘んで、生理用ナプキン２を袋部６から取り出すようにすると、固定部位３０ｆ，３０ｒの近傍では第１，第２本体用剥離紙２９ｆ，２９ｒと第１，第２本体用粘着剤２８ｆ，２８ｒとの間に順にまたはほぼ同時に剥離力を作用させ、ウイング用剥離紙６２と第１，第２ウイング用粘着剤５４ｆ，５４ｒとの間にも順に剥離力を作用させて、これら剥離紙２９ｆ，２９ｒ，６２のすべてを生理用ナプキン２から自動的に剥離させるとともに個袋３に残すことができる。
【００３８】
図１３に例示の包装体１は、長さ方向Ａの寸法が３０ｃｍ以上であるような大きい生理用ナプキン２に適用することが好ましいものであって、この包装体１では、生理用ナプキン２をおよそ四つに折り重ねることによって、長さ方向Ａの寸法を小さくすることが可能になる。この形態の包装体１ではまた、次のような効果を得ることもできる。すなわち、本体用粘着剤２８を長さ方向Ａにおいて二分して第１，第２本体用粘着剤２８ｆ，２８ｒに分けてあり、これら粘着剤２８ｆ，２８ｒを個別の第１，第２本体用剥離紙２９ｆ，２９ｒによって被覆保護し、第１本体用剥離紙２９ｆを袋部６における第１シート部２１の内面２１ａに取り付ける一方、第２本体用剥離紙２９ｒを袋部６における第２シート部２２の内面２２ａに取り付けてあるから（図１３参照）、袋部６から生理用ナプキン２を取り出すときに、第２本体用剥離紙２９ｒを袋部６の内側に確実に残すことができて、その剥離紙２９ｒによって袋部６の開口部８を大きく開かせておくことができるという効果である。加えて、長さ方向Ａにおいて並ぶ第１，第２本体用剥離紙２９ｆ，２９ｒは、それらの固定部位３０ａと３０ｂとを第１シート部２１の内面２１ａと第２シート部２２の内面２２ａとに対して形成することによって、第１，第２本体用粘着剤２８ｆ，２８ｒからの剥離が生理用ナプキン２を袋部６から取り出すときにほぼ同時に始まるようにすることが可能であって、そのような場合の包装体１は、第１，第２本体用剥離紙２９ｆ，２９ｒに代えて一枚の長尺の本体用剥離紙を使用した場合の包装体と比べると、包装体１は生理用ナプキン２を袋部６から取り出すことに時間がかからない。なお、図１０と図１３とから明らかなように、ウイング用剥離紙６２の固定部位６４は、袋部６における第２シート部２２の内面２２ａまたは外面２２ｂに対して形成することができる。ただし、ウイング用剥離紙６２をウイング用粘着剤５４，５４ｆ，５４ｒから剥離させるときに、固定部位６４と第２シート部２２との間には剥離力が作用せずにせん断力が作用するように、固定部位６４を第２シート部２２の外面２２ｂに対して形成することが一般的には好ましい。
【００３９】
図１６は、この発明の好ましい実施形態の一例を示す図１３と同様な図である。図１６の生理用ナプキン２は、その摘持用端部２６が蓋部７にまで延びていて、その蓋部７の内面７ａに対して第１本体用剥離紙２９ｆの固定部位３０ｆが形成されている。第１本体用粘着剤２８ｆもまた開口部８から蓋部７にまで延びていて、第１本体用剥離紙２９ｆの保護部位３９ｆと固定部位３０ｆとが重なり合う位置にある。この生理用ナプキン２は、蓋部７を開けた後に、図８の包装体１と同様に第１本体用剥離紙２９ｆにおける固定部位３０ｆの近傍を第１本体用粘着剤２８ｆから予め剥離しておくことによって、すべての剥離紙２９ｆ，２９ｒ，６２を剥離させながら生理用ナプキン２を袋部６から取り出すことができる。
【００４０】
生理用ナプキン２を例にとって説明したこの発明は、パンティライナやその他の体液吸収性着用物品において実施することができる。生理用ナプキン２がそれを着用するときに股部の前方に位置させる前端部とその反対端部である後端部とを有するものである場合において、その前端部は図示例における摘持用端部２６として扱うこともできれば、非摘持用端部２７として扱うこともできる。この発明に係る体液吸収性着用物品には、表面シートが体液吸収性であって、不透液性の裏面シートによって裏打ちされており、これら表面シートと裏面シートとの間に体液吸液性の芯材が介在していない簡易な構造のパンティライナも含まれる。
【産業上の利用可能性】
【００４１】
この発明によれば、生理用ナプキン等の体液吸収性着用物品を収納した個袋を再利用することができる包装体の製造が可能になる。
【図面の簡単な説明】
【００４２】
【図１】包装体の部分破断斜視図。
【図２】図１のＩＩ−ＩＩ線切断面を示す図。
【図３】生理用ナプキンの取り出し方を示す図２と同様な図。
【図４】個袋の再利用方法を示す図２と同様な図。
【図５】生理用ナプキンの部分破断平面図。
【図６】実施形態の一例を示す図１と同様な図。
【図７】実施形態の他の一例を示す図２と同様な図。
【図８】実施形態の他の一例を示す図２と同様な図であって、（ａ）と（ｂ）とによって生理用ナプキンを袋部から取り出す手順を示す。
【図９】実施形態の一例を示す図２と同様な図。
【図１０】実施形態の一例を示す図２と同様な図。
【図１１】図１０で使用される生理用ナプキンの部分破断平面図。
【図１２】図１０で使用される生理用ナプキンの部分破断平面図。
【図１３】実施形態の一例を示す図２と同様な図。
【図１４】図１３で使用される生理用ナプキンの部分破断平面図。
【図１５】図１３で使用される生理用ナプキンの部分破断平面図。
【図１６】実施形態の一例を示す図１３と同様な図。
【符号の説明】
【００４３】
１    包装体
２    生理用ナプキン
３    個袋
６    袋部
７    蓋部
７ａ    内面
８    開口部
９    底部
１０    側縁部
１２    摘持用部位
２１    第１シート部
２１ａ    内面
２２    第２シート部
２２ａ    内面
２２ｂ    外面
２３    表面シート
２４    裏面シート
２６    対向端部（摘持用端部）
２７    端部（非摘持用端部）
２８    第１粘着剤（本体用粘着剤）
２８ｆ    対向端部側粘着剤（第１本体用粘着剤）
２８ｒ    端部側粘着剤（第２本体用粘着剤）
２９    第１剥離紙（本体用剥離紙）
２９ｆ    対向端部側剥離紙（第１本体用剥離紙）
２９ｒ    端部側剥離紙（第２本体用剥離紙）
３０    固定部位
３０ｆ    固定部位（第１固定部位）
３０ｒ    固定部位（第２固定部位）
３９    保護部位
３９ｆ    保護部位（第１保護部位）
３９ｒ    保護部位（第２保護部位）
４３    縁部
５２    本体部分
５３    ウイング部分
５３ｂ    外面
５３ｆ    ウイング部分（第１ウイング部分）
５３ｒ    ウイング部分（第２ウイング部分）
５４    第２粘着剤（ウイング用粘着剤）
５４ｆ    第１ウイング用粘着剤
５４ｒ    第２ウイング用粘着剤
６２    第２剥離紙（ウイング用剥離紙）
７０ａ    内面
７０ｂ    外面
Ａ    長さ方向
Ｂ    幅方向
Ｃ    厚さ方向
【図１】
0005009077.tif 000002
【図２】
0005009077.tif 000003
【図３】
0005009077.tif 000004
【図４】
0005009077.tif 000005
【図５】
0005009077.tif 000006
【図６】
0005009077.tif 000007
【図７】
0005009077.tif 000008
【図８】
0005009077.tif 000009
【図９】
0005009077.tif 000010
【図１０】
0005009077.tif 000011
【図１１】
0005009077.tif 000012
【図１２】
0005009077.tif 000013
【図１３】
0005009077.tif 000014
【図１４】
0005009077.tif 000015
【図１５】
0005009077.tif 000016
【図１６】
0005009077.tif 000017